(57)【特許請求の範囲】
【請求項１】
左右に移動する可動盤に可動金型が取付けられる回転板の中心軸を抜けない構造に組み込み、型開状態で回転駆動装置により回転板を回動させる横型射出成形機であって、前記回転板の回動前に中心軸を前方に移動させて回転板を押出し回転板と可動盤との隙間を設けかつ回転板の回動後であって型閉前に回転板と可動盤を密着させ回転板が押出された状態における回転板の傾きを無くする突出し機構を設けたことを特徴とする金型回転機構を備えた横型射出成形機。
【請求項２】
前記回転駆動装置は可動盤の上面に取り付けられる駆動モータにプーリが取り付けられ、前記プーリと回転板の外周とテンションプーリに掛けわたされたベルトにより回転板を回動することを特徴とする請求項１記載の金型回転機構を備えた横型射出成形機。
【発明の詳細な説明】
【０００１】
【発明の属する技術分野】
本発明は、多色または異材質成形等をおこなう金型回転機構を備えた横型射出成形機に関する。
【０００２】
【従来の技術】
多色または異材質成形等をおこなう金型回転機構を備えた横型射出成形機において、回転板は可動盤に組み込まれ、型開状態で回転板を回動させるにあたり、回転板を駆動する駆動装置としては電動式または油圧式モ−タを使用している。金型回転機構は、回転板の外周を歯車または歯付プ−リ−としてベルト等を用いて駆動することにより金型を回動させている。そこで、縦型射出成形機の金型回転機構においては、可動盤が上下に移動して回転板が可動盤より回転板や金型等の自重により一定間隔の隙間を設けた状態で保持されている。ところが、横型射出成形機の金型回転機構では、可動盤が左右に移動する構成であり、金型の自重や回転駆動装置による回転駆動のベルトの張力による回転板の傾きが生じるために、回転板の回転駆動装置による回転駆動部を除く外周部分にローラを当接させて回転板と可動盤との平行を保持して、回転板と可動盤との摺接面の片当たりによるかじりを防止している。
【０００３】
【発明が解決しようとする課題】
しかしながら、上記構成とする金型回転機構は、縦型射出成形機では回転板および金型の自重により、可動盤と回転板との間に隙間が生じることでかじりは発生しないが、横型射出成形機では可動盤に対して回転板を平行に調整するために、金型等の自重による回転板の傾きの修正をおこなうローラを当接させても修正することができずに、回転板の回動時に可動盤との摺接面にかじりが生じる問題を課題とする。
【０００４】
【課題を解決するための手段】
上記の課題を解決するもので、本発明にあっては、左右に移動する可動盤に可動金型が取付けられる回転板の中心軸を抜けない構造に組み込み、型開状態で回転駆動装置により回転板を回動させる横型射出成形機であって、前記回転板の回動前に中心軸を前方に移動させて回転板を押出し回転板と可動盤との隙間を設けかつ回転板の回動後であって型閉前に回転板と可動盤を密着させ回転板が押出された状態における回転板の傾きを無くする突出し機構を設ける。そして、前記突出し機構により可動盤から離隔または接近する回転板を往復作動させるため、突出し機構と中心軸とを連結するようにしたのである。
【０００５】
【発明の実施の形態】
以下添付の図面に従ってこの発明を詳細に説明する。図１は、本発明を実施する機構を示した断面図であり、１は型締装置の金型回転機構である。回転板２は中心軸３を取付ボルト４により締結し、可動盤５の中心に回転板２に取り付けた中心軸３を嵌め合わすことにより支持させて、図３で示す回転駆動装置により回動するものとする。中心軸３と可動盤５との嵌め合い部にはブッシュ６が組み込まれ、給油形式や無給油形式のものを組み込み可動盤５より抜けない構造とする。
【０００６】
中心軸３は、回転板２の保芯をするだけではなく、金型を温調するための金型温調用通路を構成するとともに、油圧・空圧による金型内部の中子等を進退駆動させる金型作動用の通路も金型温調用通路と同様に中心軸３に設けられ、可動金型２３に接続する金型取付面の接続口までの通路が構成されている。そこで、中心軸３の外周リング２４との回転部分には、シールリングやＯリングにより水や油等の媒体の洩れ対策をおこなっている。また、中心軸３の外周リング２４は、媒体の接続口を有するブロック２５と締結させて中心軸３と同時に回転しないように可動盤５に取付ける。外周リング２４およびブロック２５の取付けは、中心軸３の軸方向に摺動可能になるよう長穴加工を施したプレートにより可動盤５に取付けをおこなっている（図示省略）。
【０００７】
本実施例の可動盤５は、図示では省略している型締装置の型締シリンダに組み込まれたラム７の往復動により、タイバ２２を摺動して型開閉を行うために取付ボルト８によりラム７とを締結する。このように、型締装置は油圧シリンダ式のものにて一実施例を示したが、トグル機構やボ−ルネジ機構の電動式型締装置としても良い。
【０００８】
可動金型２３を取り付ける回転板２は、可動盤５と平行を保ち且つ回動を行うための補助として、回転板２の金型取付面に対して裏面側の板面円周に設けられた摺動部１０を中心軸３に対して垂直方向に、支持ロ−ラ９が溝部１１の小径側または大径側に当接して回動するようにする。図１では、一実施例として回転板２の裏面側の板面円周に溝部１１を構成して、支持ロ−ラ９が中心軸３に対して垂直方向の溝部１１の小径側に当接して回動する摺動部１０を設けたが、支持ロ−ラ９が中心軸３に対して垂直方向の溝部１１の大径側に当接して回動しても良い。また、溝部１１を構成することなく回転板２の裏面側の板面円周に段部を設け、支持ロ−ラ９が段部を中心軸３に対して垂直方向の小径側または大径側に当接して回動するようにしても良い。
【０００９】
回転板２を可動盤５に対して平行に保持するために、複数の支持ロ−ラ９と偏心軸１２を有し、可動盤５に固定する偏心軸１２に支持ロ−ラ９を取り付けている。図３で示すように本実施例では、回転板２の裏面側にある板面円周溝の摺動部１０を４個の支持ローラ９により板面円周溝の円周に均等に配置し当接している。
【００１０】
偏心軸１２には、円柱形状の一端面を支持ロ−ラ９の取付部とし、偏心軸１２の端面の中心をずらした位置に支持ロ−ラ９の中心を取り付け、もう一方の端面には可動盤５に偏心軸１２を固定するため、回転板２の摺動部１０と支持ロ−ラ９が当接するように調整できるフランジ１３をボルト１５により取り付け、フランジ１３の孔部を長孔に設けている。
【００１１】
回転板２を回動させる回転駆動装置１６は、図３で示すように可動盤５の上面に取り付け、駆動モ−タ１７に歯付プ−リ１８を取り付け回転板２の外周歯付部１９を歯付ベルト２０とテンションプ−リ２１を使用して回転板２を回動する。その回転駆動装置１６の取り付け位置は、可動盤５の上下左右どの位置に取り付けても良いものとする。ところで、本実施例では、歯付ベルト２０を使用したが歯車を用いて外周面を直接かみ合わせて回転板２の回動をしても良い。
【００１２】
突出し機構３０は、ラム７に内蔵している油圧シリンダからなり、圧油を突出し機構３０に供給してピストン３１を押し出し、中心軸３を前方（図１において右側）へ移動させることにより、回転板２を押出して可動盤５との間に隙間を設けることができる。この突出し機構３０は、ラム７に内蔵しているシリンダ内を往復移動するピストン３１にフランジ３２を介してボルトにより取付け、ピストン摺動部にはパッキン等を設け油洩れを防止している。そして、ラム７には突出し機構３０を作動させる油圧の接続口を設ける（図示省略）。実際の突出し寸法は、２ｍｍ程度であり回転板２の傾きによる軸方向寸法よりも大きく押出すことが出来れば良い。また、回転板２と可動盤５との摺接面に隙間を設けることにより、回転板２の摩擦抵抗を無くし回動するのに必要なトルクを小さくすることができる。
【００１３】
突出し機構３０の作動は、型開き完了後に中心軸３を押出して回転板２の回動をおこなう。このように回転板２を押出してから回動することにより、金型の自重や回転駆動装置１６による回転駆動のベルトの張力による回転板の傾きより生ずる回転板２と可動盤５との摺接面の片当たりによるかじりを無くすことができた。
【００１４】
また、他の実施例として中心軸３と突出し機構４０のピストン４１を連結する場合もある。図２は、図１で説明した構成と異なる主要部の断面図を示したものであり、他に示していない部分は図１で示したものと同様の構成からなる。例えば、中心軸３とピストン４１を一体として連結する突出し機構４０は、可動盤５の裏面にロッド４２により取付けたプレート４３に取付けられ、ピストン４１の先端ネジ部とナット４４を螺合させ、そのナット４４と中心軸３とをボルトにて連結することによってピストン４１と中心軸３を一体化することにより、可動盤５の盤面より回転板２を離隔または接近させる。この突出し機構４０のピストン４１は、回転板２とともに回動するため、油洩れを防止するパッキン４５にメタルシールを組込み対応する。
【００１５】
中心軸３と突出し機構４０のピストン４１を一体化することにより、回転板２を押出した後にエジェクタ作動をおこない製品を取出し、型閉する工程において、型閉する前に押出した回転板２を可動盤５と密着させる（突出し機構４０により押出したピストン４１を後退させる）ことにより、回転板の傾きを無くし可動金型と固定金型のガイドピンの摺動部に及ぼすかじりの影響を少しでも無くすことが出来るのである。
【００１６】
回転板２と可動盤５との間に隙間を設けるための突出し機構３０，４０の取付け箇所は、中心軸３を押出すことで説明をおこなったが、これに限らず支持ローラ９を取付ける偏心軸１２を押出して、回転板２と可動盤５との間に隙間を設けることも可能である。このように、偏心軸１２に取り付いている支持ローラ９は、回転板２の移動にともない軸方向に移動可能なものとする。または、偏心軸１２の軸部を移動可能な構造とすることが好ましいが、支持ローラ９と回転板２との接触面を摺動させて、回転板２と可動盤５との間を往復作動させることもある。
【００１７】
【発明の効果】
本発明は、上記のように、金型の自重や回転駆動装置による回転駆動のベルトの張力によって回転板が傾くことにより、回転板と可動盤との平行を保持することができないために、支持ロ−ラと回転板の摺動部との当接を調整して可動盤に対して回転板を平行にすべく補助するが、回転板と可動盤との摺接面にかじりを無くすことができなかった金型回転機構に、回転板の中心軸を押出す突出し機構を設けて、回転板と可動盤との間に隙間を設けることで回転板の回動時の接触を避け、回転板と可動盤との摺接面に生じるかじりを防止している。
【図面の簡単な説明】
【図１】本発明を実施する機構の一例を示す断面図である。
【図２】本発明の他の実施例であり、主要部を示す断面図である。
【図３】図１の実施例を金型取付け面側より示す正面図である。
【符号の説明】
１ ‥‥‥ 金型回転機構
２ ‥‥‥ 回転板
３ ‥‥‥ 中心軸
４ ‥‥‥ 取付ボルト
５ ‥‥‥ 可動盤
９ ‥‥‥ 支持ロ−ラ
１２ ‥‥‥ 偏心軸
１６ ‥‥‥ 回転駆動装置
２４ ‥‥‥ 外周リング
３０，４０ ‥‥‥ 突出し機構
３１，４１ ‥‥‥ ピストン
４２ ‥‥‥ ロッド
４３ ‥‥‥ プレート
４４ ‥‥‥ ナット
４５ ‥‥‥ パッキン
【図１】
0003785311.tif 000002
【図２】
0003785311.tif 000003
【図３】
0003785311.tif 000004